(57)【要約】【課題】アンモニアの悪臭や尿石の発生を防止し、寒冷地あるいは寒冷時でも排尿水通路が開き排尿水が排出される非水洗式小便器脱臭装置を提供する。【解決手段】小便器本体２０の底部の排尿口２０ａに嵌着されるロート状排尿管２と、このロート状排尿管２の下部排尿口２１に装着される排尿管弁３とを備え、この排尿管弁３は、ゴム等の弾性材料で扁平チューブ状に形成されており、この扁平チューブ状の内部が排尿水通路３２とされ、この排尿水通路３２を形成している対向壁面３１ａ、３１ｂが常時、弾性的に閉じており、排尿水３０の自重で前記弾性に抗して拡開変形させて排尿水通路３２を開くように構成されている。【選択図】図１
2006320421.tif 000002
【特許請求の範囲】
【請求項１】
小便器本体の底部の排尿口に嵌着されるロート状排尿管と、このロート状排尿管の下部排尿口に装着される排尿管弁とを備え、この排尿管弁は、ゴム等の弾性材料で扁平チューブ状に形成されており、この扁平チューブ状の内部が排尿水通路とされ、この排尿水通路を形成している対向壁面が常時、弾性的に閉じており、排尿水の自重で前記弾性に抗して拡開変形させて排尿水通路を開くように構成されていることを特徴とする非水洗式小便器脱臭装置。
【請求項２】
前記ロート状排尿管の下部排尿口は、両端が鋭角状の長円断面からなる開口部であることを特徴とする請求項１記載の非水洗式小便器脱臭装置。
【請求項３】
前記ロート状排尿管には、前記排尿管弁を側方から押して排尿水通路を閉鎖状態に保持させるガイド部材が設けられていることを特徴とする請求項１又は２に記載の非水洗式小便器脱臭装置。
【請求項４】
前記ガイド部材には、ヒーターが設けられていることを特徴とする請求項３記載の非水洗式小便器脱臭装置。
【請求項５】
前記排尿管弁を装着したロート状排尿管は、底部に開口部を持つ内筒内に収納され、この内筒は底部に開口部を持つ外筒内に収納され、この外筒が小便器本体の底部の排尿口に嵌着されていることを特徴とする請求項１〜４のいずれかに記載の非水洗式小便器脱臭装置。
【請求項６】
前記内筒は、底部中央に立設されたオーバーフロー管を有し、このオーバーフロー管と内筒との間に微生物着床基材の充填室が形成されており、前記排尿管弁から排出される排尿水が前記微生物着床基材の充填室に貯留された後に前記オーバーフロー管の上部からオーバーフローして前記外筒の底部の開口部から排出されるように構成されていることを特徴とする請求項５記載の非水洗式小便器脱臭装置。
【発明の詳細な説明】
【技術分野】
【０００１】
本発明は、非水洗式小便器脱臭装置に関するものである。
【背景技術】
【０００２】
この種の従来の非水洗式小便器の脱臭装置においては、小便器本体の底部に排尿水を貯留（トラップ）し、排尿水の表面に、時には芳香性を持つような、油を浮かせて、小便器本体の底部に連結した汚水本管からの排尿水や、排尿時のトラップした排尿水からの悪臭の発散を防止（ブロック）することにより脱臭している。油を浮かべた排尿水面と小便器本体の底部の汚水本管へオーバーフローして排尿水を排出する排尿水面との互いの水面は隔壁により隔てている。
排尿水からの悪臭をブロックすると同時に小便器使用時の排尿水を洗い流す水洗を不要としている（例えば、特許文献１参照。）。
【特許文献１】中国実用新案第ＣＮ２５５９６９９Ｙ号明細書
【発明の開示】
【発明が解決しようとする課題】
【０００３】
前記従来技術のものは、小便器本体の排尿水からの悪臭をブロックしている油の品質が劣化して、悪臭のブロック効果が消滅してしまう欠点があった。また、外部に排出してはいけない油を使用することは、本来好ましいことではない。
本発明は、このような従来技術の問題点を解決できるようにした排尿水の臭いの発散を防止（ブロック）する油を使用することなく脱臭し、容易に取替えや掃除ができる構造の非水洗式小便器脱臭装置を提供することを目的とする。
本発明は、寒冷地あるいは寒冷時でも排尿水が凍り付くことなく、また尿石の発生が起こらず、微生物を利用して尿石内部に住み着く雑菌の増殖や悪臭を発生させるアンモニアの発生を抑制してアンモニアの悪臭が発生することのない非水洗式小便器脱臭装置を提供することを目的とする。
【課題を解決するための手段】
【０００４】
本発明の非水洗式小便器脱臭装置における課題解決のための具体的手段は、次の通りである。
すなわち、小便器本体の底部の排尿口に嵌着されるロート状排尿管と、このロート状排尿管の下部排尿口に装着される排尿管弁とを備え、この排尿管弁は、ゴム等の弾性材料で扁平チューブ状に形成されており、この扁平チューブ状の内部が排尿水通路とされ、この排尿水通路を形成している対向壁面が常時、弾性的に閉じており、排尿水の自重で前記弾性に抗して拡開変形させて排尿水通路を開くように構成されている。
【０００５】
これにより、排尿水のない非排尿時には、小便器本体の底部の排尿口から排尿水等の悪臭が漂い出てくることがなく、排尿時には、排尿水通路を排尿管弁に形成する。
また、前記ロート状排尿管の下部排尿口は、両端が鋭角状の長円断面からなる開口部であることが好ましい。
これにより、排尿時には、排尿水がロート状排尿管の下部排尿口から排尿管弁の排尿水通路に容易に排出される。
また、前記ロート状排尿管には、前記排尿管弁を側方から押して排尿水通路を閉鎖状態に保持させるガイド部材が設けられている。
【０００６】
ガイド部材により、非排尿時には、小便器本体の底部の排尿口からの悪臭が漂い出てくることを確実に防止する。
また、前記ガイド部材には、ヒーターが設けられていることが好ましい。これにより、寒冷地や寒冷時でも排尿水通路が開き排尿水が凍り付くことなく排出される。
また、前記排尿管弁を装着したロート状排尿管は、底部に開口部を持つ内筒内に収納され、この内筒は底部に開口部を持つ外筒内に収納され、この外筒が小便器本体の底部の排尿口に嵌着されていることを特徴とする。
【０００７】
これにより、本発明の非水洗式小便器脱臭装置自体が容易に取替えや掃除ができる。
さらに、前記内筒は、底部中央に立設されたオーバーフロー管を有し、このオーバーフロー管と内筒との間に微生物着床基材の充填室が形成されており、前記排尿管弁から排出される排尿水が前記微生物着床基材の充填室に貯留された後に前記オーバーフロー管の上部からオーバーフローして前記外筒の底部の開口部から排出されるように構成されていることが好ましい。
これにより、排尿水の通路などに尿石の発生が起こらず排尿水の排出がスムーズであって、尿石内部に住み着く細菌などによるアンモニアの悪臭を発生することがない。
【発明の効果】
【０００８】
本発明によれば、ロート状排尿管と、このロート状排尿管の下部排尿口に装着される排尿管弁とを備えたことにより、非排尿時には、小便器本体の底部の排尿口から排尿水等の悪臭が漂い出てくることがなく、排尿時には、排尿水通路を形成することができ、しかも、水洗式でないため節水効果が増大する。さらに、ガイド部材のヒーターにより、寒冷地での使用にも耐え、排尿水の通路などに尿石の発生が起こらず排尿水の排出がスムーズであって、アンモニアの悪臭がない。
【発明を実施するための最良の形態】
【０００９】
以下、本発明の実施の形態を図面に基づいて説明する。
図１〜９は、本発明の非水洗式小便器脱臭装置１の第１実施形態を示すものである。本実施形態の小便器脱臭装置１は、ロート状排尿管２と、このロート状排尿管２の下部排尿口２１に装着される排尿管弁３とを備えて、小便器本体２０の底部の排尿口２０ａに嵌着されいる。このロート状排尿管２にはガイド部材４が設けられ、さらに内筒５内に収納され、内筒５は外筒６に収納されている（図１）。
ロート状排尿管２は、図２の正面図、図３の１部断面側面図に示すように、上部２２は下部２３より直径の大きい円環を形成して、上部２２と下部２３とはアサガオ形の連絡部分２４（ロート状）を有している。そして、ロート状排尿管２の円環の下部２３は、同様にアサガオ形の連絡部分により下部排尿口２１に接続している。この下部排尿口２１は、底面図（図４）に示すように、両端２１ａ、２１ｂが鋭角状の長円断面からなる開口部２１ｃである。
【００１０】
排尿管弁３は、ゴム等の弾性材料で作成されている。伸縮性のある軟質エラストマーなどのゴムに限定するものではなく、プラスチックでも良い。排尿管弁３は、同じく図２、３に示すように、扁平チューブ状をなしている。なお、図２のように、排尿管弁３は長方形であるが、長方形に限定せず台形や正方形でも良い。
排尿管弁３は、その両端３３ａ，３３ｂに排尿水通路３２の開口３２ａを有したチューブ状である。すなわち、扁平チューブ状の排尿管弁３の内部が排尿水通路３２となり、この排尿水通路３２を形成している対向壁面３１ａ、３１ｂが常時、弾性的に閉じているのは図２、３のとおりである。
【００１１】
排尿管弁３の片端３３ａにおいて、排尿水通路３２である開口３２ａを大きく開いてロート状排尿管２の下部排尿口２１に装着する。この装着した状況を図６に示している。この下部排尿口２１の下端２１ｅから少し上方に、下部排尿口２１の外周に巻き付くような突起２１ｄが設けられており、この突起２１ｄより上方に排尿管弁３の片端３３ａを下部排尿口２１に装着してやれば、排尿管弁３が下部排尿口２１から抜け落ちることを防止できる。
ガイド部材４が前記ロート状排尿管２に設けられている（図６）。ガイド部材４は、ゴム等で作成するが、ゴムに限定するものではない。また、ガイド部材４は、正面部４４と背面部４５を有している。ガイド部材４の正面部４４は図２（図３）に示すように、表面（反背面部４５側）に２本の補強筋４１ａ，４１ｂを上下方向に設けており、正面部４４の下方の傾斜は、図３に示すように、やや背面部４５方向へ傾斜している。また、この正面部４４の上方の背面部４５側には、水平方向に嵌合溝４２が設けられている。
【００１２】
ガイド部材４の背面部４５は、図３にその側面を示すように、正面部４４の下方の傾斜に相当する部分は欠損しており、背面部４５上部中央に水平方向に切欠溝４３が設けられている。
このガイド部材４の平面図は、図５に示すように、また前述のように背面部４５の下方は欠損しており、正面部４４の傾斜した下方部４４ａが認められる。そして、このガイド部材４の上部４６が、下部排尿管２１に排尿管弁３を装着したまま、上記嵌合溝４２を下部排尿管２１の突起２１ｄに嵌合させて、ロート状排尿管２の下部排尿管２１に設けられている（図６）。この際、下部排尿管２１の突起２１ｄは、ガイド部材４の背面部４５に設けられた切欠部４３に位置することとなる。
【００１３】
ガイド部材４の正面部４４の傾斜した下方部４４ａが、図６から明らかなように、排尿管弁３を側方から押して排尿水通路３２を閉鎖状態に保持させている。排尿管弁３を側方からは、排尿管弁３の正面側方からであって図６では右側方からに該当している。排尿水通路３２が閉鎖状態であることは、ゴム等の弾性材料である排尿管弁３の排尿水通路３２を形成している対向壁面３１ａ、３１ｂが常時、弾性的に閉じていることに起因していることも図６から明らかである。
そして、ガイド部材４が図６のようにガイド部材４の背面部４５の下方が欠損しているため、排尿管弁３は排尿水３０の自重で排尿管弁３のゴム等の弾性に抗して排尿管弁３を拡開変形させて排尿水通路３２を開くことになる。
【００１４】
また、たとえば図６のように、ガイド部材４の正面部４４の下方部４４ａにヒーター４０を埋設して設けて、ガイド部材４ならびに排尿管弁３を保温してやれば、寒冷地あるいは寒冷時での本発明の小便器脱臭装置１のを使用するのに最適となる。排尿管弁３を保温すれば、たとえば排尿管弁３の排尿水通路３２中で、排尿水３０自体が凍結する心配がないし、排尿水通路３２を構成する排尿管弁３の弾性を寒冷地あるいは寒冷時でも損なうことがない。排尿管弁３の保温の温度は５〜１０℃であれば良いが、この温度に限定するものではなく、周囲・環境の温度で変化させることもできる。
【００１５】
排尿水３０を排尿水通路３２などで詰まらせる尿石は、排尿水３０と水とが混じって発生するものが多い。本発明の非水洗式小便器脱臭装置１では水を１００％節約しているので、このような尿石の発生を防止できる。
ガイド部材４ならびに排尿管弁３を装着したロート状排尿管２は、底部５４に開口部５５を持つ内筒５（図８）内に収納される。その際、ロート状排尿管２の上部には、図７に示す中蓋５１を装着し、その上に上蓋５２を装着する（図１）。
中蓋５１の下段差５１ａはロート状排尿管２の上部２２の内側に嵌着され、中蓋５１の上段差５１ｂは内筒５の上外縁５６に嵌着される。また、中蓋５１の上外縁５１ｃは、底部６１に開口部６２を持つ外筒６（図９）の上開口部６３の内側に嵌着されて、内筒５は外筒６内に収納される。中蓋５１の上外縁５１ｃには、環状溝５３ａを有してパッキングリング５３を環着し、外筒６と中蓋５１（並びにロート状排尿管２など）との密着性を向上する（図１）。
【００１６】
中蓋５１の上部には、排尿水３０をロート状排尿管２に投入し、余分な雑物（石ころなど）のロート状排尿管２への落下を防止する上蓋５２が装着されている。この上蓋５２は、中央部に複数の孔５２ａを有して下方（ロート状排尿管２方向）にすり鉢状の湾曲を有している。
上記のような内筒５を収納した外筒６が小便器本体２０の底部の排尿口２０ａに嵌着される。すなわち、排尿口２０ａの段差２０ｂに、外筒６の外段差６４が嵌め合わされる（図１）。
【００１７】
本発明の第２実施形態を図１０に示す。
本第２実施形態における内筒５には、底部５４中央に立設されたオーバーフロー管５７を有している。このオーバーフロー管５７と内筒５との間に微生物着床基材７の充填室５８が形成され、排尿管弁３から排出された排尿水３０（図１０の矢印で示す。）が微生物着床基材７の充填室５８に貯留される。
その後オーバーフロー管５７の上部から排尿水３０がオーバーフローして、以下実施形態１同様に外筒６（図１０には図示を省略している。）の底部の開口部６２から排尿水３０が排出される。
【００１８】
なお、排尿管弁３から排出される排尿水３０は、充填室５８の上部に設けられ、オーバーフロー管５７を覆う中央上部が膨らんだ、尿ガイド５９の上に排出され、尿ガイド５９の周囲から微生物着床基材７の充填室５８に貯留される。
微生物着床基材７の充填室５８の容積は、たとえば３００ｍｌ程度の成人の一回の排尿水３０の量相当で良いが、その容積に限定するものではない。
また、微生物着床基材７の微生物７１は、枯草菌類似菌、芽胞菌、その他複合酵素群と活性微生物を含む特殊菌類などで、液状あるいは固形状にて掃除などのときに定期的に充填室５８に入れるものであり、微生物７１の着床基材７での繁殖活性により、尿石の有機物などを分解して雑菌の増殖やアンモニアの発生を抑制する。
【００１９】
排尿水３０と上記微生物７１とは小便器本体２０（図１）の底部の排尿口２０ａ外に共に排出されると同時に排尿水３０と接触する配管内にも付着して尿石を分解し、その形成を阻止して、アンモニアの悪臭の発生を除去・防止する。
排尿水３０の排尿水通路３２（図６）などを詰まらせる尿石は、排尿水３０と水とが混じって発生するものが多いが、水を使用しない節水型の小便器脱臭装置１では、前記第１実施形態と同様に尿石の発生自体少ないものである。
さらに、前記第１実施形態で記載したように、ガイド部材４にヒーター４０を設けておけば、その熱が排尿水３０などを伝わって微生物７１に活力を与えて、微生物７１の生殖・増殖を活性化する。微生物７１が最も活性化する温度は２０〜３０℃である。
【００２０】
なお、本発明は前記実施形態における各部材の形状及びそれぞれの前後・左右・上下の位置関係は、図１〜１０に示すように構成することが最良である。しかし、前記実施形態に限定されるものではなく、部材、構成を種々変形したり、組み合わせを変更したりすることもできる。
例えば、前記内筒５や外筒６のないもの、さらにはガイド部材４を有することなく小便器本体２０の底部の排尿口２０ａに嵌着されたものでも良い。さらに、微生物着床基材７を内筒５の充填室５８に限定するものではなく、別途の箇所に作成することもできる。
【図面の簡単な説明】
【００２１】
【図１】本発明の第１実施形態を示す一部断面正面図である。
【図２】ロート状排尿管、排尿管弁、ガイド部材の分解正面図である。
【図３】図２の一部断面側面図である。
【図４】ロート状排尿管の底面図である。
【図５】ガイド部材の平面図である。
【図６】排尿管弁、ガイド部材を設けたロート状排尿管の一部断面側面図である。
【図７】内筒の上部に設ける部品の一部断面正面図である。
【図８】内筒の一部断面正面図である。
【図９】外筒の一部断面正面図である。
【図１０】本発明の第２実施形態を示す一部断面正面図である。
【符号の説明】
【００２２】
１        非水洗式小便器脱臭装置
２        ロート状排尿管
２０      小便器本体
２０ａ    排尿口
２１      下部排尿口
２１ａ、２１ｂ  （開口部）両端
２１ｃ    開口部
３        排尿管弁
３０      排尿水
３１ａ、３１ｂ    対向壁面
３２      排尿水通路
４        ガイド部材
４０      ヒーター
５        内筒
５４      （内筒）底部
５５      （内筒）開口部
５７      オーバーフロー管
５８      充填室
６        外筒
６１      （外筒）底部
６２      （外筒）開口部
７        微生物着床基材    
【図１】
2006320421.tif 000003
【図２】
2006320421.tif 000004
【図３】
2006320421.tif 000005
【図４】
2006320421.tif 000006
【図５】
2006320421.tif 000007
【図６】
2006320421.tif 000008
【図７】
2006320421.tif 000009
【図８】
2006320421.tif 000010
【図９】
2006320421.tif 000011
【図１０】
2006320421.tif 000012